(57)【要約】  取り外し可能なコア構成要素を受容するためのポケットを有するおむつ及びトレーニングパンツなどの吸収性物品の製造方法が提供される。吸収性物品の製造方法は、着用者に面する部分及び衣類に面する部分を提供する工程、及び着用者に面する部分又は衣類に面する部分のいずれか一方に第１の吸収性コア構成要素を提供する工程を含む。着用者に面する部分及び衣類に面する部分は、開閉式シャーシポケットが両者の間に形成され、着用者に面する部分及び衣類に面する部分が分離可能で、交換式吸収性コア構成要素を受容するための開閉式シャーシポケットに対するアクセス開口部を形成するように、結合される。
2010508944.tif 000002
【特許請求の範囲】
【請求項１】
吸収性物品の製造方法であって、前記吸収性物品が、人体の胴体下部周辺に着用されるように適用され、前記吸収性物品が、腰開口部（１３）と、一対の脚開口部（１５）とを形成するシャーシを有し、更に長手方向に対向する第１の腰終縁部（１６ａ）及び第２の腰終縁部（１６ｂ）と、腰終縁部のそれぞれに隣接した長手方向に対向する第１の腰部区域（１２）及び第２の腰部区域（１４）と、前記第１の腰部区域及び前記第２の腰部区域の長手方向の中間部に位置する股領域（６６）とを有し、前記製造方法が、
トップシート（６１）を含む着用者に面する部分（２）を提供する工程であって、前記着用者に面する部分（２）が第１の進行方向に移動する工程と、
バックシート（６２）を含む衣類に面する部分（３）を提供する工程であって、前記衣類に面する部分（３）が第２の進行方向に移動する工程と、
前記衣類に面する部分（３）又は前記着用者に面する部分（２）の一方に結合して第１の吸収性コア構成要素（５２）を提供する工程と、
前記着用者に面する部分（２）を前記第１の進行方向から前記第２の進行方向に変更する工程と、
前記着用者に面する部分（２）と前記衣類に面する部分（３）との間に開閉式シャーシポケット（５）が形成される場合、前記着用者に面する部分（２）及び前記衣類に面する部分（３）が分離可能で、交換式吸収性コア構成要素（２０、３０）を受容するための前記開閉式シャーシポケットに対するアクセス開口部（４４）を形成するように、前記着用者に面する部分（２）を前記衣類に面する部分（３）に結合させる工程と、を含む、製造方法。
【請求項２】
前記開閉式シャーシポケット（５）が、前記第１の吸収性コア構成要素（５２）と前記衣類に面する部分（２）との間で少なくとも部分的に形成される、請求項１に記載の方法。
【請求項３】
前記開閉式シャーシポケット（５）が、前記第１の吸収性コア構成要素（５２）と前記着用者に面する部分との間で少なくとも部分的に形成される、請求項１に記載の方法。
【請求項４】
前記第１の吸収性コア構成要素（５２）が、複数の吸収性材料の層を含む、請求項１に記載の方法。
【請求項５】
前記開閉式シャーシポケット（５）が、前記第１の吸収性コア構成要素（５２）の層間で少なくとも部分的に形成される、請求項４に記載の方法。
【請求項６】
前記着用者に面する部分（３）及び前記衣類に面する部分（２）が、前記開閉式シャーシポケット（５）に対する前記アクセス開口部（４４）を形成するために、前記吸収性物品の周辺部の一部分の付近で分離可能である、請求項１に記載の方法。
【請求項７】
前記着用者に面する部分（２）及び前記衣類に面する部分（３）が、前記開閉式シャーシポケット（５）に対する前記アクセス開口部を形成するように、前記第１の腰終縁部（１６ａ）及び前記第２の腰終縁部（１６ｂ）の少なくとも一方で分離可能である、請求項１に記載の方法。
【請求項８】
前記開閉式シャーシポケット（５）内に配置された交換式吸収性コア構成要素（２０、３０）を提供する工程を更に含む、請求項１に記載の方法。
【請求項９】
前記開閉式シャーシポケット（５）内に配置された交換式吸収性コア構成要素（２０、３０）を提供する工程を更に含み、前記交換式吸収性コア構成要素の一部分が前記吸収性物品の前記第１の腰終縁部（１６ａ）又は前記第２の腰終縁部（１６ｂ）を越えて延びている、請求項８に記載の方法。
【発明の詳細な説明】
【技術分野】
【０００１】
本発明は、おむつ及びトレーニングパンツなどの吸収性物品の製造方法に関する。本発明は、より詳細には交換式吸収性コア構成要素を受容するための開閉式シャーシポケットを有するおむつ及びトレーニングパンツなどの吸収性物品の製造方法に関する。本発明は、更に交換式吸収性コア構成要素が配置される開閉式シャーシポケットを有する吸収性物品の製造方法に関する。
【背景技術】
【０００２】
乳幼児及びその他失禁症状のある人は、尿及びその他の身体排泄物を吸収及び保持するために、おむつ、トレーニングパンツなどの吸収性物品を着用する。吸収性物品は、排泄された物質を収容することと、これらの物質を着用者の身体から、並びに着用者の衣類及び寝具から隔離することの双方の機能を果たす。多くの異なる基本設計を有する使い捨て吸収性物品が、例えば、米国再発行特許第２６，１５１号及び米国特許第３，８６０，００３号に記載されている。典型的には、吸収性物品は、尿及びその他の身体排泄物を吸収するための吸収性コアを有する。これらの物品の一部は、吸収した流体を物品の排泄領域に貯蔵する傾向がある。この排泄領域は、一般に、着用時に着用者の股領域にフィットする物品の部分内に配置される。着用者が物品に不快感を感じる要因は、物品が排泄された流体を効果的に移送できないことである。
【０００３】
更に、生理用パッド、成人失禁製品、トレーニングパンツ、及びおむつなどの多くの吸収性物品は、前回までの液体排泄物が有効に吸収されていても、液体が繰り返し排泄されると漏れが生じることがある。繰り返しの排泄による漏れは、特に、吸収性物品を交換する前にユーザーが一般に複数回排泄を経験する夜の間に生じる。多くの吸収性物品で液体の複数回排泄を処理する能力が制限される一因は、排泄領域の吸収容量が一杯になると、吸収性コアが排泄された液体を排泄領域から移送できなくなることである。したがって、吸収性物品の全体的な性能は、吸収性コアの最も遠い範囲に液体を移送できないことにより制限される可能性がある。
【０００４】
毛管液体移送を提供できる吸収性材料の一例は、連続気泡高分子フォームである。適正に製造された連続気泡高分子フォームは、オムツなどの吸収性物品の高性能吸収性コアで使用すると、毛管現象による液体の受入、移送、及び貯蔵機能を提供することができる。このような連続気泡発泡材料から製造された成形又は輪郭形成吸収性コアは、米国特許第５，１４７，３４５号に開示されている。この特許の吸収性コアは、液体受入／分配部材及び液体貯蔵／再分配部材を共に含む。液体受入／分配部材は、物品の着用者によって吸収性物品に排泄された水性体液を受容するか、あるいはこれらと接触するように、吸収性物品内に配置される。同様に、液体貯蔵／再分配部材は、液体受入／分配部材と毛管液体連通した状態になるように物品内に配置される。
【０００５】
代表的な多成分構成で前記米国特許第５，１４７，３４５号の吸収特性を提供する吸収性コアは、米国特許第５，９０６，６０２号に開示されており、ここでは中央部分と毛管液体連通した前側パネル及び後側パネルを有する成形吸収性コアについて記載されている。中央部分は、液体の受入／分配に一般に適した材料を含むのに対し、前側及び後側パネルは、液体の貯蔵／再分配に一般に適した材料を含む。
【０００６】
吸収性物品、及び液体を処理する吸収性コア材料における利点にもかかわらず、複数の吸収性コア構成要素を有する吸収性物品、並びに一体型の吸収性コアを有する吸収性物品は、一般に依然として単回使用の着用品として設計されている。貯蔵／再分配部材が尿などの排泄物で飽和状態になると、吸収性物品全体が一般に廃棄及び交換される。吸収性物品の構成部分はまだ使用可能な場合が多く、これらの部分は、吸収性コアと一体になっている場合を除き、引き続き利用できると考えられる。再利用可能な材料の破棄に伴う余分なコスト及び廃棄物に加え、吸収性コア構成要素が飽和状態になった時に、吸収性物品全体を取り外して交換するのは不自由である場合が多い。
【０００７】
取り外し可能な吸収性挿入部を有する吸収性物品が開示されており、例えば、米国特許第４，５９７，７６１号では、従来の再利用可能なおむつなどのオーバーガーメント又は使い捨ておむつの内側に使用する使い捨て吸収性挿入部が開示されている。吸収性挿入部は飽和状態になると、取り外して廃棄することができる。その後、吸収性物品は新しい吸収性挿入部を取り付けて再利用できる。しかしながら、吸収性挿入部は物品の体側からしか取り外せないため、挿入部を取り外すために吸収性物品が着用者から取り外される。その結果、吸収性挿入部の取り外しには、不自由で時間がかかることが多い。
【０００８】
吸収性物品が体液で濡れた後も、例えば、物品の股領域に保持された流体の相対量を減らすことにより、フィット性を改善して着用者に快適性を与える吸収性物品を提供することは有益であろう。更に、乾燥した状態及び濡れた状態のどちらでも股領域の嵩が低減された吸収性物品を提供することは有益であろう。
【先行技術文献】
【特許文献】
【０００９】
【特許文献１】米国再発行特許第２６，１５１号
【特許文献２】米国特許第３，８６０，００３号
【特許文献３】米国特許第５，１４７，３４５号
【特許文献４】米国特許第５，９０６，６０２号
【特許文献５】米国特許第４，５９７，７６１号
【発明の概要】
【発明が解決しようとする課題】
【００１０】
したがって、吸収性物品を着用者から取り外さなくても交換式吸収性コア構成要素を交換可能な、交換式吸収性コア構成要素を受容するための開閉式シャーシポケットを有する吸収性物品を提供することが望ましい。更に、このような吸収性物品の製造方法を提供することも有益であろう。
【課題を解決するための手段】
【００１１】
交換式吸収性コア構成要素を受容するための開閉式シャーシポケットを有するおむつ及びトレーニングパンツなどの吸収性物品の製造方法が提供される。
【００１２】
一実施形態によると、吸収性物品の製造方法は、着用者に面する部分と衣類に面する部分との間に第１の吸収性コア構成要素を配置する工程、及び着用者に面する部分を衣類に面する部分に結合する工程を含む。着用者に面する部分と衣類に面する部分との結合は、開閉式シャーシポケットを両者間に形成するように行われ、着用者に面する部分及び衣類に面する部分は、交換式吸収性コア構成要素を受容するための開閉式シャーシポケットへのアクセス開口部を形成するように分離可能である。
【００１３】
本発明の別の実施形態によると、吸収性物品の製造方法は、着用者に面する部分及び衣類に面する部分を提供する工程を含む。着用者に面する部分は、トップシートを含み、第１の進行方向に移動する。衣類に面する部分は、バックシートを含み、第２の進行方向に移動する。この方法は、第１の吸収性コア構成要素を提供する工程を更に含み、第１の吸収性コア構成要素は衣類に面する部分又は着用者に面する部分の一方に結合される。この方法は、着用者に面する部分を第１の進行方向から第２の進行方向に変更する工程を更に含む。この方法は、開閉式シャーシポケットが着用者に面する部分と衣類に面する部分との間に形成される場合、交換式吸収性コア構成要素を受容するための開閉式シャーシポケットに対するアクセス開口部を形成するために、着用者に面する部分及び衣類に面する部分が分離可能なように、着用者に面する部分を衣類に面する部分に結合する工程を更に含む。
【００１４】
複数の実施形態が開示されているが、本発明の更に別の実施形態は、本発明の例証となる実施形態を示して説明する、以下に続く「発明を実施するための形態」から、当業者には明らかになるであろう。理解されるように、本発明は、本発明の趣旨及び範囲からすべて逸脱することなく、種々の明白な観点での修正が可能である。それ故に、図面及び発明を実施するための最良の形態は、本質的に例証としてみなされるべきであり、制限するものではない。
【図面の簡単な説明】
【００１５】
本明細書は、本発明を形成すると見なされる主題を詳細に示し、明確に請求する請求項によって完結するが、添付図面を用いた以下の説明によって更に理解しやすくなると考えられる。図面における同種の表記番号は実質的に同じ要素を示すために用いる。図面には以下のものがある。
【図１Ａ】一実施形態による、おむつの平面図。
【図１Ｂ】一実施形態による、おむつの分解図。
【図２】一実施形態による、バックシートを背面にした交換式コアの側面断面図。
【図３】一実施形態による、バックシートとトップシートとの間の交換式コアの側面断面図。
【図４】一実施形態による、トップシートを背面にした交換式コアの側面断面図。
【図５】一実施形態による、吸収性コアの分解図。
【図６】一実施形態による、吸収性コアとトップシートとの間に交換式コア構成要素を有するおむつの側面断面図。
【図７】一実施形態による、２つの吸収性コア構成要素の間に開閉式シャーシポケットを有するおむつの側面断面図。
【図８】一実施形態による、吸収性コアとバックシートとの間に開閉式シャーシポケットを有するおむつの側面断面図。
【図９】一実施形態による、交換式吸収性コアが開閉式シャーシポケットに挿入されている、閉じた配置のおむつの側面断面図。
【図１０】一実施形態による、交換式コア構成要素が腰縁部に配置されたおむつの正面図。
【図１１】一実施形態による、交換式コア構成要素が定位置にない、交換式コア構成要素及び位置しるしを有するおむつの正面図。
【図１２】一実施形態による、交換式コア構成要素が定位置にある、交換式コア構成要素及び位置しるしを有するおむつの正面図。
【図１３】一実施形態による、固着要素を備えた交換式コア構成要素を有するおむつの側面断面図。
【図１４Ａ】一実施形態による、上部腰縁部にシャーシ開口部を有するおむつの側面断面図。
【図１４Ｂ】一実施形態による、腰部区域にシャーシ開口部を有するおむつの正面図。
【図１５】一実施形態による、パケットを含まないプロセスキャリアウェブの平面図。
【図１６】一実施形態による、パケットを含まないプロセスキャリアウェブ上に組み合わされたコア及びシャーシの平面図。
【図１７】別の実施形態よる、パケットを含まないプロセスキャリアウェブ上に組み合わされたコア及びシャーシの平面図。
【図１８】一実施形態による、パケットを含むプロセスキャリアウェブ。
【図１９】一実施形態による、パケットを含むプロセスキャリアウェブ上に組み合わされたコア及びシャーシの平面図。
【図２０】別の実施形態に従って、パケットを含むプロセスキャリアウェブ上に組み合わされたコア及びシャーシの平面図。
【発明を実施するための形態】
【００１６】
交換式吸収性コア構成要素を受容するための開閉式シャーシポケットを有するおむつ及びトレーニングパンツなどの吸収性物品の製造方法が提供される。更に、交換式吸収性コア構成要素を有する吸収性物品も提供される。
【００１７】
以下の用語の定義は、本発明の開示内容の理解に役立つであろう。
【００１８】
本明細書で使用する時、用語「長手方向軸線」は、第１の腰部区域にある物品の第１の腰終縁部の中間点から、股領域を通過して、第２の腰部区域にある物品の第２の腰終縁部の中間点へ延びる（更に、中間点で物品の長さに相当する）吸収性物品の軸線を指す。
【００１９】
本明細書で使用する時、用語「横方向軸線」は、股領域にある物品の第１の長手方向側縁部の中間点から、股領域にある吸収性物品の第２の長手方向側縁部の中間点を通過して延びる（更に、中間点で最終物品の幅に相当する）吸収性物品の軸線を指す。
【００２０】
本明細書で使用する時、用語「吸収性物品」は、排泄物を吸収性コアによって吸収及び収容する用具を指し、より具体的には、着用者の身体に当てて又はそれに近接して配置されて、身体からの様々な排泄物を吸収及び収容する用具を指す。本発明の吸収性物品の一実施形態は、図面に示すような、使い捨て吸収性物品、即ちおむつである。ただし、本発明は、失禁用パンツ、失禁用下着、おむつホルダー及びライナー、トレーニングパンツ、プルオンおむつなど、その他の吸収性物品にも適用可能であることを理解されたい。
【００２１】
本明細書で使用する時、用語「吸収性コア構成要素」は、例えば、多要素吸収性コアの複数の要素の１つのような、吸収性コアの１要素など、吸収性コアの構造的な構成要素を指す。
【００２２】
本明細書で使用する時、用語「吸収性挿入部」は、吸収性物品に挿入するために適用され、吸収性物品に挿入されると吸収性コア構成要素として機能する用具を指す。交換式吸収性コア構成要素は吸収性挿入部であり、後者の用語は用具のみを指す場合にとりわけ説明的である。
【００２３】
本明細書で使用する時、用語「シャーシ」は、物品の他の構成体が積み重ね又は重ね置きされる吸収性物品の基礎的な構成要素を指し、例えば、おむつでは、バックシート、トップシート、又はトップシートとバックシートとの組み合わせなど、着用するために配置されると、おむつにブリーフ又はショートパンツの形状を与える構造的要素である。
【００２４】
本明細書で使用する時、用語「おむつ」は、一般に、乳幼児及び失禁症状のある人によって、その着用者の下方の胴体廻りに装着される吸収性物品を指す。
【００２５】
本明細書で使用する時、用語「使い捨て」は、使用後に洗濯するか又は別の方法で吸収性物品として復元させるか再利用することを意図しない、即ち、１回使用したら廃棄するか、所望によりリサイクルするか、堆肥化するか、又は、環境に適合する方法で処理することを意図した吸収性物品を説明するために用いる。ここで留意すべきなのは、本開示で述べたように、シャーシ及び取り外し不能なコア構成要素を１回使用する間に、交換式コア構成要素を数回使用及び交換し得ることである。
【００２６】
本明細書で使用する時、用語「毛管液体連通」は、毛管移動によって１つの吸収要素から別の吸収要素へ液体を流すことを指す。また、液体の毛管移動を通じて、液体が１つの吸収要素から別の吸収要素へ流れるようにする吸収要素の構造的性質を表すのに用いる用語で、この場合、一般に、吸収要素は相互に直接対面接触しているか、親水性の中間層と各吸収要素が直接対面接触しており、液体を１つの吸収要素から別の吸収要素へ毛管伝導させるか、又は、繊維性吸収要素の繊維を突出化させ、多孔質及び／若しくは浸透性の中間層を介して別の吸収要素と接触させる。
【００２７】
本明細書で使用する時、「接合」、「接合した」、「接合している」、及び同様の用語は、要素を別の要素に直接固着することによって、当該要素が別の要素に直接固定された構成、並びに、要素を中間部材に固着し、それを次に別の要素に固着することによって、当該要素が別の要素に間接的に固定された構成を指す。
【００２８】
本明細書で使用する時、「交換式」は、例えば、交換式吸収性コア構成要素又は吸収性挿入部など、取り外し可能で、その代わりに同様の構成要素を置き換えられる構成要素など、交換可能な吸収性物品の構成要素を説明する。
【００２９】
本明細書で使用する時、用語「吸収性コア」は、流体を受入、分配、移動、貯蔵、及び／又は再分配するように機能する吸収性物品の部分（例えば、層）を説明するために用いられる。受入材料には、流体を受け入れた後、所望により放出することが主な機能である材料が含まれる。このような材料には、獲得層、トップシート材料、移動層、流量制御モジュール、ラップ組織、又はヒドロゲル形成性ポリマーの移動を防ぐように設計された不織布シートなどが挙げられる。本明細書で使用する時、用語「分配材料」は、主な機能が流体を吸収して、最初に流体が加えられた場所から別の場所へ分配／再分配することである吸収性コア材料を指す。本明細書で使用する時、用語「貯蔵材料」は、重量基準で、保持された流体の大部分を貯留する吸収性コア材料を指す。用語「分配材料」及び「貯蔵材料」は、相互に排他的ではないことを理解されたい。特定の実施形態では、単一の材料が流体分配及び流体貯蔵の両方を提供するように機能できる。
【００３０】
本明細書で使用する時、用語「前側」は、着用者の前面に隣接して配置されることを意図した物品又は吸収性コアの部分を指す。用語「後側」は、着用者の背面に隣接して配置されることを意図した物品又は吸収性コアの部分を指す。このような意味において、関連用語「前側に」を使用する場合、物品又はコアのより前側に近い物品又はコアの位置を意味し、一方の用語「後側に」は、物品又はコアのより後側に近い物品又はコアの位置を意味する。
【００３１】
本明細書で使用する時、用語「ｚ次元」は、部材、コア、又は物品の長さ及び幅に直交する次元を指す。ｚ次元は、一般に、部材、コア、又は物品の厚さに相当する。本明細書で使用する時、用語「ｘ−ｙ次元」は、部材、コア、又は物品の厚さに直交する平面を指す。ｘ次元は、一般に、部材、コア、又は物品の幅に相当し、ｙ次元は、一般に、部材、コア、又は物品の長さに相当する。
【００３２】
本明細書で使用する時、用語「層」は、吸収構造の識別可能な構成要素を指し、「層」と呼ばれる構造は、以下に記載するように、実際には材料の複数のシート又はウェブの積層体又は組み合わせを含んでいてもよい。本明細書で使用する時、用語「層」は、用語「複数の層」及び「層状」を含む。用語「上部」は、物品のトップシートに最も近接して直面した吸収性コアの層を指し、対する用語「下部」は、物品のバックシートに最も近接して直面した吸収性コアの層を指す。吸収性物品の様々な部材、層、及び構造は、性質上、一般に平面的であっても、そうでなくてもよく、どの望ましい形状にも成形又は輪郭形成されていてよい。
【００３３】
本明細書で使用する時、用語「着用者に面する部分」は、吸収性物品の内側表面を形成するシャーシの要素を指し、例えば、トップシート、内側レッグカフ、外側レッグカフ、サイドパネル、ウエストバンド、腰部シールド、ファスナーなどの要素が存在する場合は、それらが挙げられる。
【００３４】
本明細書で使用する時、用語「衣類に面する部分」は、吸収性物品の外側表面を形成するシャーシの要素を指し、例えば、バックシート、サイドパネル、ウエストバンド、外側レッグカフ、ファスナーなどの要素が存在する場合は、それらが挙げられる。
【００３５】
以下に詳細に記載するように、水性体液の吸収及び保持に適した吸収性物品の製造方法が提供される。図１ａ及び１ｂは、例えば、本発明の教示で使用されてよいおむつを示す。図１ａは、おむつ６０の平面図を示す。図１ｂは、平面展開した非収縮状態（即ち、伸縮性により生じる収縮をすべて取り除いた状態）のおむつ６０の分解図を示す。図に示すように、吸収性物品は、一般に、トップシート６１、バックシート６２、及びトップシート６１とバックシート６２との間に配置された吸収性コア１０を含む。バックシート６２は、積層体の形態で不透過性層及び不織布ウェブを含んでよい。好適な不透過性層の一例は、ポリオレフィンフィルム層である。図２〜４を参照して以下により詳細に記載するように、吸収性コア１０は、取り外し不能な吸収性コア構成要素５０などの、少なくとも１つの別の吸収性コア構成要素と毛管液体連通した状態で配置された、少なくとも１つの交換式吸収性コア構成要素２０及び／又は３０を含んでよい。おむつ６０は、着用者に面する部分２及び衣類に面する部分３を含む。
【００３６】
図１ａに示すように、おむつ６０は、前側腰部区域１２、後側腰部区域１４、股領域６６、及び周辺部５７を有し、周辺部５７は、バックシート６２の外縁部によって画定され、長手方向に対向する腰終縁部１６ａ及び１６ｂ、並びに横方向に対向する側縁部６４ａ（左側縁部）及び側縁部６４ｂ（右側縁部）を有する。腰部区域１２、１４は、着用時に着用者の腰部を取り巻く、おむつ６０の上部を含む。股領域６６は、腰部区域１２と腰部区域１４との間のおむつ６０の部分であり、着用時に着用者の脚の間に配置され、着用者の胴体下部を覆う、おむつ６０の部分を含む。したがって、股領域６６は、おむつ６０又はその他使い捨て吸収性物品の典型的な液体付着領域を画定してよい。
【００３７】
一般に、おむつ６０は、腰開口部１３及び一対の脚開口部１５を形成するシャーシを含む（腰開口部１３及び脚開口部１５は図１４ｂに示す）。おむつ６０は、長手方向軸線１７及び横方向軸線１８を有する。シャーシは、長手方向に対向する腰終縁部１６ａ（後側腰終縁部）及び腰終縁部１６ｂ（前側腰終縁部）、長手方向に対向する腰部区域１２（前側腰部区域）及び腰部区域１４（後側腰部区域）、股領域６６（腰部区域１２、１４の長手方向の中間部）、並びに横方向に対向する側縁部６４ａ（左側）及び側縁部６４ｂ（右側）を有する。おむつ６０は、股領域６６に配置された第１の吸収性コア構成要素５２及び／又は第１の吸収性コア構成要素５２及び第２の吸収性コア構成要素５１（図２〜４を参照）、並びに吸収性コア構成要素と液体連通（例えば、毛管液体連通）した状態で配置された交換式吸収性コア構成要素２０及び／又は３０（図２〜４を参照）を更に含んでもよい。伸縮部材６７ａ、６７ｂは、ウエストバンドを提供するように、おむつ６０の腰部区域１２及び１４の一方又は両方に配置されてもよい。伸縮部材６９ａ、６９ｂ、６９ｃ、６９ｄは、伸縮性レッグカフ用に、一般に長手方向に延びて横方向に対向する側縁部６４ａ及び６４ｂに沿って、腰部区域の中間に配置されてもよい。テープタブファスナー６５ａ、６５ｂなどの固着手段は、おむつを着用者の適切な位置に保つために、おむつ６０のウエストバンド区域に配置されてもよい。一般に、おむつのすべての要素の位置は、使用目的に合うように変更してよい。したがって、例えば、固着手段は、いずれか一方の腰部区域に配置されてもよく、図１ａでは後側腰部区域１４に示され、図１ｂでは前側腰部区域１２に示されている。
【００３８】
より詳細に後述するように、取り外し可能なコア構成要素を装着するために、少なくとも１つのアクセス開口部４４が提供されてよい。図１ｂは、おむつの各腰部区域１２、１４に提供された、このような２つのアクセス開口部４４を示す。
【００３９】
バリアレッグカフ伸縮部材２４１ａ／２４１ｂ（図１ａを参照）を含むバリアレッグカフ２４０（図１ｂを参照）は、各長手方向縁部に隣接して、又は長手方向縁部とおむつの長手方向軸線１７との間に配置されてよい。好適なバリアレッグカフの材料及び構造は、米国特許第４，６９５，２７８号、同４，８０８，１７８号、及び同４，８１６，０２５号に記載されており、これらの内容はすべて参照によって本明細書に組み込まれる。
【００４０】
図２、３、及び４は、各種の実施形態によるおむつの層の側面図を示す。本開示では、交換式吸収性コア構成要素、それらの取り外し及び取り付け方法、シャーシ又は開閉式シャーシポケット内の配置、並びにそれらの取り外し及び取り付けのためのアクセス方法に関するすべての説明は、一般に、本明細書に記載のどの交換式吸収性コア構成要素にも適用可能であり、吸収性物品の前側付近に挿入された、又は吸収性物品の後側付近に挿入された交換式コア構成要素に適用してよい。交換式吸収性コア構成要素は、着用者に吸収性物品を適用する前、又は吸収性物品の着用時に、吸収性物品に挿入してよい。交換式吸収性コア構成要素を取り外す際に、取り外した吸収性コア構成要素に代えて別の交換式吸収性コア構成要素を挿入してよい。米国特許第６，９３２，８００号及び同６，９８９，００６号を参照されたい。これらの内容は参照によって本明細書に組み込まれる。
【００４１】
吸収性物品は、交換式吸収性コア構成要素２０又は３０と毛管液体連通した第１の吸収性コア構成要素又は層５２及び第２の吸収性コア構成要素又は層５１などの、複数個の吸収性コア構成要素を含んでよい。どのコア構成要素も、好適な液体受入、受入／分配、及び／又は貯蔵／再分配特性を有することができる。各吸収性コア構成要素は、複数の吸収性層を含んでよい。交換式吸収性コア構成要素３０は、身体的排泄物で飽和状態になると、吸収性物品から取り外されてよい。その後、新しい不飽和状態の交換式吸収性コア構成要素２０及び／又は３０が、取り外した飽和状態の交換式吸収性コア構成要素２０及び／又は３０の代わりに配置されてよい。
【００４２】
図に示すように、おむつは、トップシート６１、第１の吸収性コア構成要素５２、第２の吸収性コア構成要素５１、及びバックシート６２を含む。別の実施形態では、吸収性コア構成要素５０は、図に示すように個々の吸収性層５１及び５２の代わりに吸収性材料の単一層を含んでいてもよい。図２〜４に示す吸収性コア１０は、第１のコア構成要素５２、第２のコア構成要素５１、並びに少なくとも１つの交換式吸収性コア構成要素２０及び／又は３０を含む。吸収性コア構成要素５０は、単一層構造を有していてもよく、取り外し不能な吸収性コア構成要素であってもよいことは理解されよう。更に、だた１つ以上の交換式コア構成要素を吸収性物品に配置可能であることも留意すべきである。後述するように、交換式吸収性コア構成要素２０又は３０を受容するための開閉式シャーシポケット５を、おむつのｚ次元の様々な位置に配置してよい。開閉式シャーシポケット５は、例えば、図２及び６に示すように吸収性コア構成要素５０とトップシート６１との間、図３及び７に示すように吸収性コア構成要素５０の層間、又は図４及び８に示すようにバックシート６２と吸収性コア構成要素５０との間に形成されてよい。
【００４３】
図５は、一実施形態による、吸収性コア１０の分解図を示す。図に示すように、吸収性コア１０は、２つの交換式コア構成要素３０、２０、及び吸収性コア構成要素５０を含んでよい。吸収性コア構成要素は、吸収性層５１及び５２を含んでよい。
【００４４】
交換式吸収性コア構成要素２０及び／又は３０は、おむつ６０の層間に形成された開閉式シャーシポケット５に挿入することができる。開閉式シャーシポケット５は、一連の好適な層の間又は内部など、おむつ６０上のどの好適な位置にも提供可能である。図６〜８は、おむつの異なる層間に交換式コア構成要素を有するおむつの側面断面図を示す。特に記載がない場合、同様の要素番号の説明に関しては、図１ａ〜４を参照されたい。
【００４５】
図６に示すように、交換式コア構成要素３０は、トップシート６１と吸収性コア５０との間に提供されてよい。吸収性コア５０は、バックシート６２に隣接して提供されてよい。液体透過性層２０５ａは、吸収性コア５０に結合して提供されてよい。図に示すように、交換式コア構成要素３０は、アクセス開口部４４を通じて開閉式シャーシポケット５に挿入される。
【００４６】
図７に示すように、交換式コア構成要素３０は、吸収性層５１と５２との間に提供されてもよく、一方の吸収性層５１はバックシート６２に隣接して提供され、もう一方の吸収性層５２はトップシート６１に隣接して提供される。液体透過性層２０５ａ、２０５ｂは、それぞれ吸収性層５１、５２に結合して提供されてよい。図に示すように、交換式コア構成要素３０は、アクセス開口部４４を通じて開閉式シャーシポケット５に挿入される。
【００４７】
図８に示すように、交換式コア構成要素３０は、バックシート６２と吸収性コア５０との間に提供されてよい。吸収性コア５０は、バックシート６２に隣接して提供されてもよい。液体透過性層２０５ａは、吸収性コア５０に結合して提供されてよい。図に示すように、交換式コア構成要素３０は、アクセス開口部４４を通じて開閉式シャーシポケット５に挿入される。
【００４８】
上述したように、液体透過性層又はシート２０５ａ又は２０５ｂを提供してもよい。例えば、液体透過性層又はシート２０５ａ又は２０６ｂは、組織シート、即ちスクリム層であってもよく、加工時及び／又は使用時に受入／分配構成要素の物理的一体性を保つように、受入／分配構成要素と貯蔵／再分配構成要素との間などのコア構造内に配置されてもよい。この液体透過性シート２０５ａ、２０５ｂは、コア１０の受入／分配構成要素の全部又は一部を包んでいても、あるいは上述したように受入／分配構成要素を包むことなく単に配置されていてもよい。液体透過性シート２０５ａ、２０５ｂは、開閉式シャーシポケット５の全部又は一部を形成してもよい。
【００４９】
おむつ６０の層は、吸収性物品の少なくとも一部の周辺部５７付近で共に接合されてよい。図１ｂに関して記載したように、アクセス開口部４４は、開閉式シャーシポケット５にアクセスするために提供されてよい。図１ｂの実施形態では、アクセス開口部４４は、おむつ５０の衣類に面する部分３に沿って提供されたスロットを含む。図６〜８に示すような別の実施形態では、周辺部５７の所定の領域において、少なくともトップシート６１を含むおむつ６０の着用者に面する部分２、及び少なくとも不透過性バックシート６２を含む衣類に面する部分３を接合しないまま残し、周辺部に沿って、交換式吸収性コア構成要素２０、３０を受容するための開閉式シャーシポケット５に対するアクセスを提供する開口部４４を形成してもよい。
【００５０】
再度、図１ａ及び１ｂを参照すると、トップシート６１は、液体（例えば、尿）が浸透可能な液体透過性であってよい。一般に、トップシート６１は、着用者の皮膚に適合して、軟らかな感触であり、非刺激性であってもよい。好適なトップシート６１は、織布材料及び不織布材料、孔あき成形熱可塑性フィルム、孔あきプラスチックフィルム及びハイドロフォーミングされた熱可塑性フィルムのような高分子材料、多孔質発泡体、網状発泡体、網状熱可塑性フィルム、並びに熱可塑性スクリムなどの広い範囲の材料から製造することができる。好適な織布材料及び不織布材料は、天然繊維（例えば、木材繊維若しくは綿繊維）、合成繊維（例えば、ポリエステル繊維、ポリプロピレン繊維、若しくはポリエチレン繊維などの高分子繊維）、又は天然繊維と合成繊維との組み合わせを包含することができる。一実施形態では、トップシート６１は、疎水性材料から製造され、少なくとも一面に液体の浸透を容易にする界面活性剤を処理した、吸収性コア１０に収容された液体から着用者の皮膚を隔離する。トップシート６１は、１つ以上の層を含んでよい。
【００５１】
嵩高不織布のトップシート及び孔あき成形フィルムのトップシートを使用してよい。孔あき成形フィルムは、体液に対して透過性で、非吸収性であり、吸収性コア１０から流体を逆戻りさせて着用者の皮膚を再び濡らす傾向が低い。したがって、身体と接触している成形フィルムの表面は乾いた状態に保たれ、これによって身体の汚れが低減されて、着用者に更に快適な感触を与える。形成フィルムトップシートの身体に面する表面は、親水性であってもよく、これによって体液がトップシートを通じてより速く移動するのに役立ち、液体が吸収性コア１０に流入して吸収されるのではなくトップシート６１から流出する可能性を減らす。
【００５２】
トップシート６１は、吸収性コア１０の着用者に面する表面上に配置される。トップシート６１は、単一の層又は複数の層によって形成されてもよい。受入材料は、吸収性コア１０とトップシート６１との間に配置されてよい。後述するように、着用者に面する部分２が少なくとも１つの吸収性コア構成要素を含む実施形態では、その複合体は、トップシート６１を含み、更に第２の流体透過性層２０５ａ又は２０５ｂ（図６〜８を参照）を含んでもよく、この場合、吸収性コア構成要素５０の少なくとも一部は、トップシート６１と第２の流体透過性層２０５ａ又は２０５ｂとの間に配置される。
【００５３】
バックシート６２は、液体（例えば、尿）に対して不透過性であってよく、更に吸収性コア１０から蒸気を逃がすことができてよい（即ち、通気性）。バックシート６２は、吸収性コアに吸収及び収容された排出物が、おむつ６０に接触する物品、例えば、ベッドシーツ及び下着等を濡らすのを防ぐことができる。バックシート６２は、織布材料若しくは不織布材料、ポリエチレン若しくはポリプロピレン製の熱可塑性フィルムなどの高分子フィルム、フィルムコートされた不織布材料などの複合材料、その他の材料、又はこれらの組み合わせなど、どの好適な材料を含んでいてもよい。記載した実施形態では、バックシート６２は、液体不透過性層及び蒸気透過性層を含んでよい。不透過性層はポリ材料を含んでよく、透過性層はキャリア不織布ウェブを含んでいてもよい。不透過性層は、約０．０１２ｍｍ（０．５ミル）〜約０．０５１ｍｍ（２．０ミル）の厚さを有する熱可塑性フィルムを含んでよいが、別の可撓性液体不透過性材料も使用可能である。本明細書で使用する時、用語「可撓性」は、順応性があり、着用者の身体の一般的な形状及び輪郭に容易に適合する材料を指す。不透過性層として使用するのに好適な高分子フィルムは、高含量の線状低密度ポリエチレンを含んでいてもよい。幾つかの実施形態では、不透過性層は、約４５〜９０％の線状低密度ポリエチレン及び約１０〜５５％のポリプロピレンからなる混合物、又はその他任意の好適な含量を含んでいてもよい。不透過性層として使用される代表的なフィルムは、インディアナ州テレホート（Terre Haute）のトレデガー・インダストリーズ社（Tredegar Industries, Inc.）によって、ある種のブローンフィルム用に商品名Ｘ−８３２３、ＲＲ８２２０ブレンド、及びある種のキャストフィルム用にＲＲ５４７５ブレンドが製造されており、また、モンサント・ケミカル社（Monsanto Chemical Corporation）によって製造され、フィルム番号８０２０として販売されているものがある。バックシート６２は、より布地様の外観をもたらす、エンボス加工及び／又はマット仕上げを行ってもよい。衣類に面する部分が少なくとも１つの吸収性コア構成要素を含む実施形態では、その複合体は、液体透過性層２０５ａ又は２０５ｂ（図６〜８を参照）、バックシート６２（例えば、実質的な液体不透過性層）、及び不織布カバー層を含んでよい。吸収性コア構成要素５０の少なくとも一部は、バックシート６２と液体透過性層２０５ａ又は２０５ｂとの間に配置されてよい。
【００５４】
幾つかの実施形態では、トップシート６１及びバックシート６２は、同一の広がりを持ち、一般に、吸収性コア１０より大きい長さ及び幅寸法を有する。あるいは、トップシート６１は、バックシート６２より若干小さくてよい。一般に、バックシート６２及び／又はトップシート６１の寸法は、吸収性コア１０の寸法及び選択された吸収性物品の設計によって規定される。
【００５５】
吸収性コア１０は、トップシート６１とバックシート６２との間に提供される。上述したように、幾つかの実施形態では、吸収性コアは、第１の吸収性コア構成要素又は層５２、第２の吸収性コア構成要素又は層５１、及び交換式吸収性コア構成要素２０又は３０を含む。第１の吸収性コア構成要素５２、第２の吸収性コア構成要素５１、及び交換式吸収性コア構成要素２０又は３０の寸法（例えば、長さ及び広がり）は、個々の吸収性物品の設計に合わせて異なってよい。おむつの場合、交換式吸収性コア構成要素２０及び／又は３０は、前側腰部区域１２又は後側腰部区域１４の一方又は両方からおむつの股領域６６に延びてよい。吸収性コア構成要素又は層５１、５２は、腰部区域１２又は１４の一方から股領域６６を通過してもう一方の腰部区域に延びていてもよい。吸収性コア構成要素又は層５１、５２は、同一の広がりを持たなくてよい。前側腰部区域１２又は後側腰部区域１４は、それぞれ吸収性物品の前側腰終縁部又は吸収性物品の後側腰終縁部から、吸収性物品の全長の２５％を測定することにより決定されてもよい。股領域６６は、おむつ６０の全長の残り５０％を占める、前側腰部区域と後側腰部区域との間の領域である。別の実施形態では、前側腰部区域、後側腰部区域、及び股領域のそれぞれに対応するおむつの長さのパーセンテージは異なっていてもよい。
【００５６】
吸収性コア１０及びその構成要素は、尿及びその他の身体排泄物などの液体を吸収及び保持可能な、どの吸収性材料を含んでもよい。吸収性コア１０は、任意の好適な形状であってもよい。例えば、吸収性コア１０は、その長手方向縁部に一般に弓状の切り取りを有する砂時計の形状、又は一般に直線構成の形状で提供されてよい。吸収性コアの各構成要素の形状及び構成は、異なっていてもよい。一般に、吸収性コア構成要素は、実質的に直線構成であっても、前縁及び後縁の幅が太くなっていても、又は長さに沿って幅が異なっていてもよい。吸収性コア構成要素５０は、おむつのシャーシから一般に取り外しできないように配置されてもよい。交換式吸収性コア構成要素２０及び／又は３０は、ポケットに受容されるように形成され、一般に直線構成であっても、又は台形、くさび形、三角形などのその他任意の好適な形状であってもよい。用語「一般に直線構成」は、長さに沿って一般に一定の幅を有する中心区域を指す。少なくとも１つの吸収性コア構成要素又は層５２、５１は、ポケット５に受容されると、典型的には交換式吸収性コア構成要素２０又は３０と液体連通（例えば、毛管液体連通）した状態になるが、これらと同一の広がりを持つ必要はない。
【００５７】
別個の構成要素を有する多要素吸収性コア１０は、効果を提供することができる。第１に、このコアは、吸収性材料の不連続な吸収性層又はパネルを使用しているため、吸収性物品に使用すると、望ましい美観及びフィット性を示すことができる。例えば、このコアの中心区域は、中心区域をある程度独立して曲げたりしわを寄せたりできる別個の吸収性層を含むため、これによって股領域に改善されたフィット性及び快適性を提供することができる。
【００５８】
多成分吸収性コア１０によりもたらされる別の潜在的利点は、吸収性コア構成要素及び部材の選択的特性を独立して変更できることである。変更可能な特性には、受入れ率、分配率、貯蔵能力及び率、界面液体移動率及び効率、厚さ、機能、吸収性層又はパネルの形状又は配置などが挙げられる。例えば、着用者の身体に最も近い吸収性層は、比較的大きな受入／分配特性を有する外側の２つの吸収性層に対し、比較的大きな受入特性を有していてもよい。この構成では、尿などの排泄物は、受入／分配部材及び／又は貯蔵／再分配部材によって素早く受け入れられる。
【００５９】
多成分吸収性コア１０の使用によりもたらされる第３の潜在的利益は、吸収性コアの構成要素を取り外し及び／又は取り付けて、吸収性コアの貯蔵／再分配能力を再生できることである。交換式吸収性コア構成要素３０に対するアクセスを提供することで、前記吸収性コア構成要素の取り外し及び／又は取り付けが可能になる。
【００６０】
吸収性コア構成要素、とりわけ主に貯蔵／再分配に適した吸収性コア構成要素を交換することにより、着用者の皮膚から水分を除去し続ける間は、使い捨ておむつなどの吸収性物品を引き続き使用することができる。コア部材が飽和状態になると、実質的に水分吸収の効果が低下する可能性がある。吸収性コア構成要素が更に飽和状態になると、着用者の皮膚から水分を吸収する能力が失われる。交換式吸収性コア構成要素２０又は３０を交換すると、シャーシにおける吸収性コア構成要素５０の吸収力が回復又は再生され、再度水分を吸収できるようになる。その結果、吸収性物品をより長く着用でき、着用者から物品を取り外すことなく吸収性コアを再生することができる。
【００６１】
コア構成要素は、吸収性材料の複数の層をいずれも含むことができ、各コア構成要素は個別に液体受入、受入／分配、又は貯蔵／再分配特性を有し、更に個別の形状、幅、長さ、及び厚さの特性を有する。吸収性層の数及び配置は、薄さ、柔軟性、可撓性、又は、有益な液体受入、分配、及び貯蔵率、並びに容量及び貯蔵率、着用者の快適性など、望ましい特性を達成するように異なっていてもよい。吸収性コアの構成要素又は部材は、積層体、複数のシートの組み合わせ、又は材料のウェブを含んでよい。広くは、それぞれの吸収性コア構成要素又は部材は、任意の吸収性材料、又は個別のユニットとして処理されるのに十分な構造的一体性を有する材料の組み合わせから製造されてもよい。
【００６２】
いずれの好適な材料も吸収性コア構成要素に使用可能である。例えば、好適な材料には、繊維性不織布材、繊維性エアレイド積層材料、繊維性湿式ウェブ材料、及び繊維状構造の上又は内部に吸収性ゲル材料が分散した繊維性材料の組み合わせが挙げられる。このような吸収性コア構成要素は、吸収性物品に対する取り外し及び取り付けに構造的一体性を与える、液体透過性ウェブによって繊維性材料が実質的に包まれた挿入パケットに形成されてもよい。利用可能な不織布繊維性吸収構造の代表的な形態は、親水性の化学的に剛化されたセルロース繊維から構成される。吸収性コア構成要素又は部材として用いるための吸収性材料は、フォームベースでもよい。例えば、吸収性コアの構成要素は、シート又は複数個のフォーム片若しくはフォーム粒子の形態で発泡材料を含むことができ、これらは共に接着固定されてもよく、あるいは外皮組織又は吸収性物品のトップシート６１及びバックシート６２によって共に収容された非接着凝集体に単に封入されてもよい。おむつなどの吸収性物品に好適な吸収性フォームは、高内相エマルション（以後、「ＨＩＰＥ」と呼ぶ）から作製されている。本明細書に記載の吸収性物品の吸収性コア１０は、従来の要素又は材料の組み合わせ及び１つ以上のフォーム状吸収構造などの、材料の組み合わせも含むことができる。例えば、吸収性物品は、フォーム状吸収構造の粒子又は断片の組み合わせ（例えば、風成混合物）、並びに木材パルプ若しくはその他のセルロース繊維及び／又は高分子ゲル化剤の粒子若しくは繊維などの従来の吸収性材料を含む、吸収性コアを利用してよい。
【００６３】
吸収性コア１０は、受入構成要素、受入及び移動構成要素、貯蔵及び再分配構成要素、又はその他任意の好適な構成要素を含んでよい。受入構成要素は、一般に、最上部の吸収性層又はコア構成要素であり、流体を受け入れて、着用者の身体から、最上部の吸収性層の下に提供される一般により吸収性の高いコア構成要素へ流体を分配する。したがって、最上部の吸収性層は、一般に吸収性物品の身体側に相当する面に位置し、一般に使い捨ておむつのトップシート６１と毛管液体連通した状態にあるため、排泄物を素早く受け入れて分離するように機能する。受入及び移動構成要素は、流体を受け入れて別の構成要素へ移動させる。受入及び貯蔵構成要素は、流体を受け入れて保持し、内部で流体を再分配することができる。各シャーシ吸収性コア構成要素又は層５２及び５１並びに交換式構成要素２０又は３０の機能は、おむつの製造方法に関してより詳細に記載するように、おむつの層内の開閉式シャーシポケット５の位置によって異なってよい。
【００６４】
吸収性受入構成要素は、体液を素早く受け入れることに加えて、液体受入／分配又は貯蔵／再分配構成要素へ液体を有効に移動することができる。この受入部材の液体移動機能は、トップシート６１から液体をほぼ除去して液体を過度に残留させないために十分な毛管吸引力を有する受入部材を含んでよい。液体が過度に残留すると、下にある吸収性層によって受入構成要素が脱着されるのが困難になると考えられる。特に、液体受入構成要素は、一般に、別の吸収性コア構成要素、とりわけ液体の貯蔵を意図した構成要素の吸収圧に対し、好適な毛管脱着圧を有してよい。吸収性物品の液体受入構成要素が受け入れた液体を保持したままだと、これにより液体を分離する別の構成要素の能力が阻害される可能性があり、受入構成要素が液体で満たされたままになって、吸収性物品がより漏れを生じやすくなる可能性がある。
【００６５】
液体受入／分配構成要素は、一般に、受入構成要素より大きな分配特性を有する。排泄される水性体液（例えば、尿）は頻繁におびただしく排出されるため、受入／分配構成要素は、この液体を受け入れて、最初に液体が加えられた位置から受入／分配構成要素の別の部分へ液体を吸い上げるか、あるいは別の機構によって液体を移送し、結果として隣接する液体貯蔵／再分配構成要素に脱着させることができる。したがって、このような材料は、排泄物が受入区域から吸収性コアの貯蔵構成要素へ効率的に移送され得るように、受入構成要素の材料より大きな分配能力を有してよい。
【００６６】
好適な吸収性コアは、液体貯蔵／再分配構成要素を含む。液体貯蔵／再分配構成要素は、着用者の身体から排泄物を分離して貯蔵するように機能し、その結果、着用者に乾いた感触を与え、漏れを防ぐことができる。貯蔵／再分配構成要素は、受入構成要素及び／又は受入／分配構成要素と毛管液体連通した状態に保たれていてもよく、その結果、尿又はその他水性体液が受入構成要素及び／又は受入／分配構成要素から脱着され、液体貯蔵／再分配構成要素に吸収され得る。
【００６７】
貯蔵／再分配構成要素は、主に液体貯蔵特性を有する部材を含んでよい。このような貯蔵部材は、移送及び吸上能力には欠けるが、高い貯蔵又は保持能力を有し、液体分配部材に依存して流入する液体を貯蔵／再分配部材のより広い領域に分配できる。
【００６８】
幾つかの実施形態では、「偏倚した」吸収性コア構造を有することが望ましい場合がある。この場合、一方の表面に隣接する部分は、分散性が低く液体を素早く受け入れることができ、もう一方の表面に隣接する部分は、受入能力が低く液体を素早く分散することができる。吸収性物品において「受入面」が着用者側に向き「分配面」が着用者と反対側に向くように配向されると、「ダウン・アンド・アウト」（down and out）機能が提供され、これによって液体は吸収性コア構造に素早く受け入れられて着用者に面する面への分散が抑えられ、吸収性コア構造の衣類に面する面側の部分全体に素早く分散されることができる。この機能により、吸収性コア構造、つまり吸収性物品は、視覚的にも触覚的にも清潔で乾燥した印象を保つことができ、一方で吸収性物品の着用者と反対側の部分の吸収能力を有効に利用することができる。
【００６９】
上記の機能を提供するため、吸収性コア１０の組成物は、吸収性層の受入面に、良好な分配及び貯蔵特性を与える小型の高表面積繊維が比較的存在しないように、また吸収性層の分配面に、このような小型の高表面積繊維が比較的高い割合で含まれて、より大きな分配特性を提供するように、選択されてよい。幾つかの実施形態では、受入領域は、分配領域との間に毛管力勾配を確立するように、分配領域より比較的低い平均密度及び低い単位面積当たりの平均坪量を共に有してよい。また、フォーム状吸収性コア構造において、セルの寸法及び穴の寸法は、流体吸上特性、及びフォーム構造内で生じる毛管圧などの、フォームの多くの重要な機械的及び性能的機能に影響を与え得るパラメーターである。
【００７０】
図９〜１３は、開閉式シャーシポケット５に挿入された、あるいは所定の位置に配置された、交換式吸収性コア構成要素を示す。特に記載がない場合、同様の要素番号の説明に関しては、図１ａ〜８を参照されたい。
【００７１】
図９に示すように、交換式吸収性コア構成要素３０は、アクセス開口部４４を通じて開閉式シャーシポケット５ａに挿入される。図に示す実施形態では、アクセス開口部４４は、腰開口部１３の後側腰部区域１４に表示されている。第２の開閉式シャーシポケット５ｂは、前側腰部区域１２に提供されてよい。第１の吸収性コア構成要素又は層５２は、図に示すように後側腰部区域１４に沿って示されており、第２の吸収性コア構成要素又は層５１は、前側腰部区域１２に沿って示されている。図に示す実施形態では、第１及び第２の吸収性コア構成要素又は層５２、５１は部分的に同一の広がりを持つ。図９は、一般に腰開口部１３から脚開口部１５まで延びる伸縮性サイドパネル２１０ａを更に示す。
【００７２】
交換式吸収性コア構成要素２０及び／又は３０の個別の特性にかかわらず、交換式吸収性コア構成要素及び／又は吸収性物品は、交換式吸収性コア構成要素の物品内での適切な位置を示す指標を含んでよい。図１０〜１２は、交換式コア構成要素、及び交換式コア構成要素の開閉式シャーシポケット内での適正な位置を示す位置しるしを有する、おむつの様々な実施形態を示す。
【００７３】
図１０は、腰開口部１３に沿ってアクセス開口部４４に挿入された交換式吸収性コア構成要素３０の正面図を示す。図１０の実施形態では、指標は、交換式コア構成要素３０の外端部分に配置された視覚的な指標線２８１を含み、これによって指標線が交換式コア構成要素の所定の位置に達すると、指標線がシャーシの腰終縁部１６ａと一直線に揃う。
【００７４】
図１１及び１２は、別の視覚的指標の実施形態を示す。図に示すように、指標は、交換式コア構成要素３０上の図案体２８２を含んでいてもよく、図案体２８２は、交換式コア構成要素の所定の位置に達すると、シャーシ上の相補的な図案体２８３と揃い、並んで複合図案を形成することができる。交換式吸収性コア構成要素３０は単に半円の指標２８２を含んでいてもよく、吸収性物品６０は相補的な半円指標２８３を含んでいてもよい。その結果、適切な位置に達すると、２つの半円は一般に円を形成する。指標は、相補的かどうかにかかわらず、任意の好適な形状であってもよいことは認識されるであろう。
【００７５】
図１３に示すように、交換式吸収性コア構成要素３０を所定の位置に固着するための固着部材を更に含んでいてもよい。図１３は、トップシート６１とバックシート６２との間の開閉式シャーシポケット５に挿入された交換式吸収性コア構成要素３０を示す。図に示す実施形態では、固着部材はフック・ループ式ファスナーを含む。ただし、その他の固着部材も使用可能である。フック・ループ式ファスナーは、交換式吸収性コア構成要素３０上に一方の部材（例えば、フック）２８７を含み、吸収性物品６０の開閉式シャーシポケット５内にもう一方の部材（例えば、ループ）２８６を含む。したがって、例えば、フック・ループ式ファスナーの一方の部材２８７は、交換式吸収性コア構成要素３０の半円指標の下に提供されてもよく、フック・ループ式ファスナーのもう一方の部材２８６は、吸収性物品の半円の裏側に提供されてもよい。その結果、適切に配置されると、２つの半円指標が揃い、及び／又はフック・ループ式ファスナーが嵌合する。別の任意の好適な固着機構も使用可能であり、及び／又は固着機構の部材を受けるためのどの種類の指標も使用可能である。
【００７６】
以上のことから、吸収性コア１０は複数個の別個の構成要素を含んでいてもよく、各構成要素は別個の液体受入、受入／分配、又は貯蔵／再分配特性を有する。受入、受入／分配、及び貯蔵／再分配の各構成要素が隣接する構成要素と連通した状態である限り、吸収性コア構成要素を互いに様々な構成で配置することができる。吸収性コア内において、受入構成要素、受入／分配構成要素、及び貯蔵／再分配構成要素のどの好適な配置関係を使用してよい。これらの構成要素は、互いに有効に液体連通した状態であってもよく、各構成要素は、吸収性物品に排泄されると考えられる水性体液の量を有効に保持及び／又は移送可能である。更に、吸収性コアは、液体受入構成要素、受入／分配構成要素、及び貯蔵／再分配構成要素をそれぞれ含んでいなくてもよく、又は任意の構成要素を複数個含んでいてもよい。
【００７７】
おむつ６０は、おむつが着用者により密着してより快適になるようにおむつに収縮力を与える、伸縮部材を更に含んでいてもよい。伸縮部材は様々な既知の配置に組み合わされてもよく、これには例えば、一般に米国特許第３，８６０，００３号に記載されているものが挙げられる。脚部伸縮部材をおむつの周辺部付近、例えば、各長手方向縁部に沿って配置し、弾性収縮可能なレッグカフを形成してもよい。図１ａは、脚部伸縮部材６９ａ〜６９ｄを示す。伸縮部材６９ａ〜６９ｄは、着用者の脚に対して、おむつ６０を引き寄せ、保持する傾向がある。脚部伸縮部材６９ａ〜６９ｄは、おむつの全長の一部に沿って延びることができる。あるいは、脚部伸縮部材６９ａ〜６９ｄは、一般に、おむつの長さ、又は弾性収縮可能な線を提供するのに好適なその他い任意長さに延びることができる。脚部伸縮部材の長さは、おむつの設計によって規定される。バリアレッグカフ伸縮部材２４１ａ／２４１ｂ（図１ａを参照）を含むバリアレッグカフ２４０（図１ｂを参照）は、各長手方向縁部に隣接して、又は長手方向縁部とおむつの長手方向軸線１７との間に配置されてもよい。好適なバリアレッグカフの材料及び構造は、米国特許第４，６９５，２７８号、同４，８０８，１７８号、及び同４，８１６，０２５号に記載されており、これらの内容はすべて参照によって本明細書に組み込まれる。
【００７８】
再度、図１ａ及び１ｂを参照すると、伸縮部材は、ウエストバンド６７ａ、６７ｂを提供するようにおむつ６０の腰部区域１２及び１４の一方又は両方に配置可能であり、更にレッグカフを形成するように腰部区域に隣接して配置可能である。例えば、米国特許第４，５１５，５９５号を参照されたい。通常の非拘束構成において、伸縮部材が、おむつを効果的に収縮又はしわ寄せするように、伸縮部材は、弾性収縮可能な状態でおむつ６０に固定されてよい。伸縮部材は、一般におむつ６０の股領域６６の長さ、又は弾性収縮可能な線を提供するのに好適なその他任意の長さに延びることができる。これらの伸縮部材の長さは、おむつの設計によって規定されてもよい。ウエストバンド６７ａ、６７ｂは、身体に固着する使い捨ておむつ６０の独立した要素を含んでいてもよいが、トップシート６１若しくはバックシート６２、又はその両方などの使い捨ておむつの別の要素の延長部分を含んでいてもよい。前記米国特許第４，５１５，５９５号に記載されているある例示の実施形態では、伸縮性腰部要素は、一般に使い捨ておむつの横幅全体にわたる。同様のウエストバンドは、伸縮性腰部要素がおむつの横幅の一部にしかわたらない設計においても有用であり得る。一実施形態では、伸縮性腰部要素は、使い捨ておむつの横幅の大部分にわたる。
【００７９】
吸収性物品は、図１ａ及び１ｂに示すような「開いた状態」のシャーシ形状にしてよく、この場合、シャーシは固着手段によって着用者の胴体下部付近に共に固着されるように適用される。あるいは、吸収性物品は、プルオンパンツタイプのおむつ又はトレーニングパンツのような「閉じた状態」のシャーシ形状にしてよく、この場合、シャーシは、固着手順を行うことなく、着用者の脚及び胴体下部の上に引っ張って装着するように適用される。おむつを着用者に固定するために、テープタブファスナー６５などの固着手段をおむつ６０の腰部区域に配置してもよい。
【００８０】
再度、図９を参照すると、所定の位置に交換式吸収性コア構成要素３０を有する閉じた形状のおむつ６０が示される。図９の実施形態では、おむつ６０は閉じたシャーシ形状を有し、引き上げて着用するように適用される。図に示すように、アクセス開口部４４は、開閉式シャーシポケット５ａに対して腰終縁部１６に沿って提供され、交換式吸収性コア構成要素３０は、開閉式シャーシポケット５ａ内に配置され、開閉式シャーシポケット５ｂは、第２の交換式吸収性コア構成要素を受容するように提供される。交換式吸収性コア構成要素３０は、アクセス開口部４４を通じて開閉式シャーシポケット５ａから取り外され、交換される。例えば、飽和状態の交換式吸収性コア構成要素を取り外した後、開閉末端部４１ａを介して新しい未使用の吸収性コア構成要素を挿入できる。図９の実施形態では、第１の開閉式シャーシポケット５ｂが前側腰部区域１２に提供され、第２の開閉式シャーシポケット５ａが後側腰部区域１４に提供される。この実施形態では、おむつ６０は、交換式吸収性コア構成要素２０又は３０を受容するように適用された２つの開閉式シャーシポケット５ａ及び５ｂを含むが、ただ１つの交換式吸収性コア構成要素を開閉式シャーシポケットに配置してもよく、１つの開閉式シャーシポケットのみを提供してもよい。
【００８１】
図１４ａ及び１４ｂは、別のアクセス開口部の実施形態を示す。特に記載がない場合、同様の要素番号の説明に関しては、図１ａ〜１３を参照されたい。図１４ａに示すように、開閉式シャーシポケット５のアクセス開口部４４は、前側若しくは後側のいずれか一方、又はその両方の周辺部５７の所定の領域（例えば、腰終縁部１６）に沿って形成されてもよく、この場合、着用者に面する部分及び衣類に面する部分は、交換式吸収性コア構成要素３０にアクセスできるように分離可能である。アクセス開口部４４は、着用者に面する部分２と衣類に面する部分３を分離することで形成され、交換式吸収性コア構成要素３０を取り外し及び取り付けでき、アクセス開口部を閉じた場合に十分な液体不透過性を提供するように再封止可能である。したがって、フック・ループ式ファスナーなどの閉鎖機構４３を提供してもよい。図に示す実施形態では、閉鎖機構の一方の部材がバックシート６２上に提供され、閉鎖機構の相補的な部材がトップシート５１上に提供される。
【００８２】
あるいは、図１４ｂに示すように、開閉式シャーシポケット５のアクセス開口部４４は、前側腰部区域１２若しくは後側腰部区域１４のいずれか一方、又はその両方の腰部区域に形成されてよく、この場合、着用者に面する部分又は衣類に面する部分は、開閉式シャーシポケット５にアクセスできるように開口部４４を含む。図に示す実施形態では、アクセス開口部４４は、後側腰部区域１４に沿って、バックシート６２を介して、着用者に面する部分２に形成される。アクセス開口部４４によって、交換式吸収性コア構成要素の取り外し及び取り付けが可能になる。図１４ｂは、アクセス開口部４４に隣接した伸縮性ウエストバンド部材６７も示す。伸縮性ウエストバンド６７は、腰終縁部と吸収性コアの隣接末端部との間の腰部区域に配置されてよい。
【００８３】
図１ａの実施形態を参照すると、伸縮性ウエストバンド６７ａ、６７ｂが、腰終縁部１６に沿って、着用者に面する部分２と衣類に面する部分３の分離によって形成されるアクセス開口部４４に隣接して配置される場合、ウエストバンド６７ａ、６７ｂは、アクセス開口部４４が伸縮状に開いて自然に閉じるように機能してよい。例えば、このような伸縮性ウエストバンド６７ａ、６７ｂが、バックシート６２に取り付けられた独立要素として、あるいは腰部区域にあるバックシート６２の延長部分として形成される場合、伸縮性ウエストバンド６７ａ、６７ｂは、バックシート６２の腰終縁部１６を周辺部でトップシート６１の方向に引き寄せる、つまり開閉式シャーシポケット５のアクセス開口部４４を離すと開口部が閉じるような、収縮力を与えることができる。
【００８４】
あるいは、又は更に、アクセス開口部４４に隣接して接触部分を提供してよい。接触部分は、アクセス開口部４４が開かれた時に、トップシート６１を着用者に接触した状態に保つように使用してよい。一実施形態では、接触部分は、アクセス開口部４４に隣接して、トップシート６１に沿って、一般におむつ６０の一方の側部からもう一方の側部へ延びたバンドを含む。バンドは、トップシート６１と一体型であっても、あるいは分離型でトップシートに結合されていてもよい。バンドは、おむつ６０の衣類に面する部分が引っ張られ、アクセス開口部４４が開いた時に、トップシート６１の腰終縁部を着用者側に維持するように、トップシート６１に収縮力を与える。どの好適な接触部分が使用されてもよい。別の例としては、トップシート６１に取り付けられた独立要素として、あるいは腰部区域にあるトップシート６１の延長部分として形成された伸縮性ウエストバンド６７が、バックシート６２又は衣類に面する部分３の腰終縁部１６が着用者に面する部分２から引き離され、アクセス開口部４４が形成されて開閉式シャーシポケット５にアクセス可能になったときなど常にトップシート６１の腰終縁部１６を着用者の身体側に維持するような収縮力を与えてよい。更に、上述したように、バックシート６２及びトップシート６１などのシャーシを形成する可撓性基材は、伸縮性を持たせるか、ないしは別の方法で伸張可能にしてよい。したがって、腰終縁部１６に沿った開放可能な領域のトップシート６１及びバックシート６２の両方の層状部分は、ウエストバンド６７又は別の手段のいずれかによって弾性収縮可能であってよい。このような実施形態では、開閉式シャーシポケット５にアクセスするために衣類に面する部分３が引き離されると、着用者に面する部分２の腰終縁部１６は着用者の身体側に伸縮状に維持されることができ、これによってアクセスが容易になり、アクセス開口部４４が離されると、衣類に面する部分３の腰終縁部１６の弾性収縮によってアクセス開口部４４も自然に閉じられてよい。別の実施形態では、腰部シールドを提供してもよい。腰部シールドは、おむつの前側からの漏れを防ぐように使用することができる。一般に、腰部シールドは、腰終縁部付近のおむつの内側全体に提供され、実質的に液体不透過性の材料を含む。
【００８５】
製造方法
交換式吸収性コア構成要素３０を受容するための開閉式シャーシポケット５を有する物品（例えば、図１ａ〜１４ｂのおむつ６０）の製造では、着用者に面する部分２及び衣類に面する部分３は、別々に製造された後、開閉式シャーシポケット５に対するアクセスを提供するように、両者の周辺部の少なくとも一部で共に接合されてよい。一般に、着用者に面する部分２はトップシート６１を含み、衣類に面する部分３はバックシート６２を含む。おむつ６０の層内の開閉式シャーシポケット５の望ましい位置、及び吸収性物品の設計自体に従って、おむつ６０の別の層を着用者に面する部分２と衣類に面する部分３との間に分配してもよい。開閉式シャーシポケット５の位置によって、製造方法は異なる可能性がある。更に、各層の設計、とりわけ吸収性コア１０の層の設計は、開閉式シャーシポケット５の対応する位置、及び物品のその他の構成要素に対する層の位置によって異なる可能性がある。おむつ６０の要素は、図１５〜２０に示す方法を参照して説明されるが、これらの要素の図及び説明については、図１ａ〜１４ｂを参照されたい。
【００８６】
図１５〜２０に示す製造方法の１つでは、着用者に面する部分２は、物品の長手方向軸線１７に沿った第１の進行方向に移動し、衣類に面する部分３は、物品の横方向軸線１８に沿った第２の進行方向に移動する。着用者に面する部分及び衣類に面する部分は、物品の軸線に対して異なる進行方向に移動するが、これらは同じ地理的な進行方向（例えば、北）を有することができる。この製造方法では、着用者に面する部分２及び衣類に面する部分３は、材料の１つ以上の層から別々に構成される。
【００８７】
図１５は、衣類に面する部分３の製造方法を示す。一般に連続したプロセスキャリアウェブ１０６をＤ１の方向に進むように提供する。プロセスキャリアウェブ１０６は、伸張可能な不織布ウェブを含んでよい。バックシート６２及びプロセスキャリアウェブ１０６を含む衣類に面する部分３は、縦方向プロセス又は横置きプロセスを使用して加工することができる。図に示す本発明の実施形態では、衣類に面する部分３の加工に関して、横置きプロセスを示す。したがって、各物品のバックシート６２の第１の側縁部１０４は、物品のバックシート６２の第２の側縁部１０５に先立って加工される。プロセスキャリアウェブ１０６の対向する側縁部は、物品の前側腰終縁部１６ａ及び後側腰終縁部１６ｂに相当してもよい。別の方法としては、衣類に面する部分３の側縁部は、最終物品の腰終縁部に相当してもよく、あるいは衣類に面する部分３の側縁部が最終製品の製造工程前に折り畳まれるか切り落とされる場合、腰終縁部に隣接して配置されてよい。
【００８８】
衣類に面する部分３の製造時に、衣類に面する部分３の要素はプロセスキャリアウェブ上に積み重ねられる。図に示す実施形態では、それぞれの衣類に面する部分は、不透過性であり得るポリ層などの液体不透過性層１０７を含んでよい。ポリ層は、吸収性コア１０より大きくてもよいが、ラミネート構造などに不繊布が存在する場合、衣類に面する部分３の不織布部分より小さくてもよい。少なくともバックシート６２の一部を含むプロセスキャリアウェブ１０６は、プロセスキャリアウェブを物品区分に分割する線に沿って、概念上、分割される。衣類に面する部分３の個々の層及び／又は要素は、プロセスキャリアウェブ１０６上に配置されるか、及び／又はプロセスキャリアウェブ１０６に接合される。
【００８９】
図１６は、着用者に面する部分２の製造方法を示す。一般に連続したトップキャリアウェブ１２６をＤ２の方向に進むように提供する。図に示す実施形態では、各物品の前側腰終縁部１６ａ及び後側腰終縁部１６ｂは、トップキャリアウェブ１２６に沿って提供される。着用者に面する部分２が構成されると、トップキャリアウェブ１２６は、着用者に面する部分の個別体に切断される。より詳細には、トップキャリアウェブ１２６は、物品の長手方向軸線１７に一般に垂直な方向に延びる切断線に沿って切断される。着用者に面する部分を含むウェブの切断線は、最終物品の前側腰終縁部１６ａ及び後側腰終縁部１６ｂに相当してよい。個々の着用者に面する部分は、伸縮を延ばした状態に固定された後、切断縁部が衣類に面する部分を含むウェブの側縁部と整列するように回転されてよい。一実施形態では、トップキャリアウェブ１２６の一部は、減圧によって伸縮を延ばした形状に固定された後、進行方向に交差するように（即ち、横方向軸線１８に平行に）切断線に沿って切断されてもよく、これによって個々の着用者に面する部分が形成される。
【００９０】
個々の着用者に面する部分２が切断されると、着用者に面する部分２は、図１７に示すように、衣類に面する部分３の上に配置される。したがって、図１７は、プロセスキャリアウェブ１０６上の衣類に面する部分３の上に着用者に面する部分２が組み合わされた状態を示す。着用者に面する部分２は、衣類に面する部分３の物品間隔に対応するように横に間隔を開けられる。個々の着用者に面する部分の進行方向は、トップキャリアウェブ１２６の進行方向（Ｄ２）からプロセスキャリアウェブ１０６の進行方向（Ｄ１）へ方向転換される。１つの基材を回転させて第２の基材と整列させる好適な方法は、米国特許第５，０２５，９１０号及び同６，６０４，６２３号に開示されており、これらの内容は参照によって本明細書に組み込まれる。個々の着用者に面する部分２は、次に、プロセスキャリアウェブ１０６と接合され、プロセスキャリアウェブ１０６は、より詳細に後述するように、吸収性物品を生成するように更に加工される。衣類に面する部分３が着用者に面する部分２に接合されると、その複合ウェブは、図１６及び１７に示すように、別個の吸収性物品を形成するように、切断、折り畳み、継ぎ合わせなどの幾つかの加工変換を経る。後述するように、フィルムを提供して伸縮性臀部部分又はサイドパネル２１０を形成してもよく、伸縮性ストランド６７ａ〜ｄを提供してウエストバンドを形成してもよい。切断は、脚開口部１５を形成するように切断線１０９に沿っていてもよく、物品を分離するように側縁部の切断線１１０に沿っていてもよい。
【００９１】
別の製造方法では、着用者に面する部分２は、物品の長手方向軸線１７に沿った第１の進行方向に移動する。衣類に面する部分３は、物品の横方向軸線１８に沿った第２の進行方向に移動する。この方法によると、第１の進行方向と第２の進行方向とは地理的に同じではない。したがって、ある部分の進行方向は、別の部分の進行方向に対して角度をつけて配置される。それぞれの方向に移動しながら、着用者に面する部分及び衣類に面する部分は、材料の１つ以上の層から別々に構成される。第２の進行方向に移動する衣類に面する部分を含むウェブの対向する側縁部は、上述したように、物品の前側腰終縁部及び後側腰終縁部に相当してもよい。着用者に面する部分２が構成されると、トップキャリアウェブは、横に間隔を開けて配置された衣類に面する部分を有するプロセスキャリアウェブの縁部と整列する位置に移動される。次に、トップキャリアウェブは、プロセスキャリアウェブの側縁部にほぼ相当するように切断される。個々の着用者に面する部分の進行方向は、衣類に面する部分の進行方向に合わせて、第１の進行方向から第２の進行方向に方向転換される。着用者に面する部分と衣類に面する部分を導入して整列させる好適な手段は、米国特許第５，６９３，１６５号に開示されており、この内容は参照によって本明細書に組み込まれる。着用者に面する部分は衣類に面する部分と接合され、次に、複合体の着用者及び衣類に面する部分を含むウェブは、より詳細に後述するように、吸収性物品を生成するように更に加工される。
【００９２】
一般に、吸収性物品は、インライン縦方向プロセスを使用して製造可能であり、この場合、主な進行方向は、図１６のトップキャリアウェブ１２６の進行方向Ｄ２のような、物品の長手方向軸線１７に沿った方向である。あるいは、吸収性物品は、横置きプロセスを使用して製造可能であり、この場合、主な進行方向は、図１５のプロセスキャリアウェブ１０６の進行方向Ｄ１のような、物品の横方向軸線１８に沿った方向である。縦方向プロセスの一例では、物品は、長手方向軸線１７に沿って第１の腰終縁部から第２の腰終縁部へ向けて加工される。したがって、例えば、第１のプロセスでは、第１の腰終縁部は第２の腰終縁部に先立って第１のプロセスを経る。横置きプロセスの一例では、物品は、横方向軸線１８に沿って第１の側縁部から第２の側縁部へ向けて加工される。したがって、例えば、第１のプロセスでは、第１の側縁部は第２の側縁部に先立って第１のプロセスを経る。上記の様々な実施形態で言及したように、交換式吸収性コア構成要素を受容するための開閉式シャーシポケットを有する吸収性物品の製造方法は、インライン縦方向プロセス、横置きプロセス、又はそれらの組み合わせを使用して製造可能である。一実施形態では、図１６に示すように、トップシート６１を含む着用者に面する部分２は縦方向で加工されてもよく、この場合、第１の腰終縁部１６ａは第２の腰終縁部１６ｂに先立って加工される。別の実施形態では、第２の腰終縁部１６ｂは第１の腰終縁部１６ａに先立って加工されてよい。
【００９３】
上述したどの実施形態でも、着用者に面する部分２を含むトップキャリアウェブ１２６は、個々の単一製品単位に切断され、プロセスキャリアウェブ１０６上に配置された衣類に面する部分３に結合された後、プロセスキャリアウェブ１０６が切断されて、おむつ６０などの個々の吸収性物品が形成される。一般に、プロセスキャリアウェブ１０６が横置き方向で加工され、横向き方向で移動する場合、上述した着用者に面する部分２のように、縦方向で製造され、縦向き方向で移動する部分は、いずれも９０°回転された後、プロセスキャリアウェブ１０６上に配置された衣類に面する部分３に結合される。回転の角度は、例えば、衣類に面する部分の変換に対する着用者に面する部分の変換の角度など、単に他方に対する１つの加工変換の角度によって決定される。着用者に面する部分２及び衣類に面する部分３は、少なくとも両者の周辺部の一部で互いに結合されるが、少なくとも１つの縁部の一部に沿って封止されていなくてもよく、それによって着用者に面する部分２と衣類に面する部分３との間に開閉式シャーシポケット５への開口部４４が形成される。プロセスキャリアウェブ１０６は、切断線１０９に沿って切断され、それによって吸収性物品の脚開口部１５が形成される。プロセスキャリアウェブ１０６は、第１の腰終縁部１６ａが長手方向に対向する第２の腰終縁部１６ｂと揃うように、横方向軸線１８に沿って折り畳まれる。好適な継ぎ合わせ技術を使用して、プロセスキャリアウェブ１０６内に包含された、折り畳まれた物品の両側部を接合する。次に、物品は側縁部の切断線１１０に沿って切断され、それによって個々の吸収性物品が形成される。
【００９４】
図１８〜２０に示すような幾つかの実施形態では、製造中に交換式吸収性コア構成要素３０をおむつ６０に提供することができる。パケットとして提供される、取り外し可能なコア構成要素３０は、プロセスキャリアウェブ１０６上に配置されてもよい。特に記載がない場合、同様の参照番号の説明に関しては、図１５〜１７を参照されたい。パケットの配置は、どの好適なタイミングで行われてもよい。図１８に示す一実施形態では、パケットが、例えば、衣類に面する部分３の液体不透過性層１０７などの、プロセスキャリアウェブ上に配置された後、個々の着用者に面する部分２が衣類に面する部分３に組み合わされる。図１９は、個々の着用者に面する部分２を形成するようにトップキャリアウェブ１２６を加工するプロセスを示す。図２０は、個々の着用者に面する部分２をプロセスキャリアウェブ１０６の衣類に面する部分と組み合わせるプロセスを示す。
【００９５】
接合のタイミングが衣類に面する部分３の切断前又は切断後にかかわらず、着用者に面する部分２及び衣類に面する部分３は、少なくとも両者の周辺部の一部に沿って共に接合される。一実施形態では、着用者に面する部分２及び衣類に面する部分３は、接着剤などの取り付け手段、又はその他任意の好適な取り付け手段によって互いに直接接合される。例えば、接着剤の均一な連続層、接着剤の模様付き層、又は接着剤の個々の線又は点の配列を使用して、着用者に面する部分を衣類に面する部分に貼り付けてもよい。十分なものであることが判明している接着剤が、オハイオ州コロンバス（Columbus）のセンチュリー・アドヒーシブズ社（Century Adhesives, Inc.）によって製造され、センチュリー（Century）５２２７として販売されており、また、ミネソタ州セントポールのＨ．Ｂ．フラー社（H. B. Fuller Company）によって製造され、ＨＬ−１２５８として販売されている。取り付け手段は、米国特許第４，５７３，９８６号にて開示されるような、接着剤のフィラメントの開放パターン網状組織を含んでよい。フィラメントの開放パターン網状組織の１つの取り付け手段は、米国特許第３，９１１，１７３号、同４，７８５，９９６号、及び同４，８４２，６６６号に示された装置及び方法により表されるような螺旋模様に旋回された接着剤フィラメントの幾つかの線を含む。あるいは、取り付け手段は、熱ボンド、圧力結合、超音波結合、動的機械的結合、若しくは他の任意の好適な取り付け手段、又はこれらの取り付け手段の組み合わせを含んでよい。
【００９６】
トップシート６１は、トップキャリアウェブ１２６などの伸張性のウェブの部分として提供されてもよい。多数の製造技術を使用してトップシートを製造してもよい。例えば、トップシート６１は、織布、不織布、スパンボンド材料、カード材料、又は同様の材料から形成されてよい。不織布トップシートでは、繊維は、熱結合法によって、又はポリアクリレートなどの高分子結合剤によって共に結合され得る。このようなシートは実質的に多孔質であり、液体を下方の吸収性コアに容易に通過させる。トップシート６１が不織布ウェブを含む場合、そのウェブには、スパンボンド、カーディング、湿式積層、メルトブロー、水流交絡、上記の組み合わせなどを行うことができる。トップシート６１の材料は、一般に、トップシートと着用者の皮膚とが接触する領域に、水性体液を保持するための親和性をほとんど持たないか、全く持たない。一実施形態では、トップシート６１は、カード処理され、布地技術の当業者に周知である手段により熱的に固着される。トップシート６１は、約２．２デニール、又はその他任意の好適なデニールを有するステープル長のポリプロピレン繊維を含んでいてもよい。本明細書で使用する時、用語「ステープル長の繊維」は、少なくとも約１５．９ｍｍ（０．６２５インチ）の長さ、又はその他任意の好適な長さを有する繊維を指す。トップシート６１は、約１８〜約２５ｇ／ｍ２の坪量、又はその他任意の好適な坪量を有してよい。好適なトップシートは、マサチューセッツ州ウォルポール（Walpole）のインターナショナル・ペーパー社（International Paper Company）の一部門であるベラテック社（Veratec, Inc.）によってＰ−８の商品名で製造されている。説明のために、多孔質ウェブをトップシート材料として提供する。トップシート６１が２層からなる実施形態では、第２のトップシート層はトップキャリアウェブに接着されてよい。
【００９７】
トップシート６１の少なくとも一部は、伸縮性サイドパネル２１０の少なくとも一部を形成する「ゼロ歪」ストレッチラミネートを実現するために、機械的な伸張を受けてもよい。このように、トップシート６１は、伸長性で、場合によっては延展性があってもよいが、必ずしもエラストマーでなくてもよく、その結果、トップシート６１は、機械的伸張の際、元の形状に戻らなくてもよいように少なくともある程度永久的に伸長させることができる。トップシート６１は、トップシート６１の過度の破裂又は破断を伴うことなく機械的伸張を受けることができる。したがって、一実施形態では、トップシート６１は機械横方向（側面方向）の降伏強さが弱い。
【００９８】
バックシート６２の少なくとも一部は、伸縮性サイドパネル２１０を形成する「ゼロ歪」ストレッチラミネートを実現するために、更に、望ましい場合には、バックシート６２の一部を予め引っ張って、弾性的ウエスト構成部又はその他任意の弾性的構成部と重ねるために、機械的な伸張を受けてもよい。このように、バックシート６２は、伸長性であってもよく、及び／又は延展性であってもよいが、必ずしもエラストマーでなくてもよく、その結果、バックシート６２は、機械的伸張の際、元の歪みのない形状に戻らなくてもよいように少なくともある程度永久的に伸長させることができる。幾つかの実施形態では、バックシート６２は、過度の破裂又は破断を伴うことなく機械的伸張を受けることができる。したがって、バックシート６２は、ＡＳＴＭ  Ｄ−６３８と整合性のある方法を用いて測定するとき、機械横方向で少なくとも約４００％〜約７００％の破断に至る最大伸長を有していてもよい。バックシート６２は、更に０％〜任意の望ましい値の範囲にわたる、その他任意の好適な伸長を有していてもよい。バックシート６２として使用するのに好適な高分子フィルムは、高含量の線状低密度ポリエチレンを含んでいてもよい。バックシート６２の材料の例には、約４５〜９０％の線状低密度ポリエチレン及び約１０〜５５％のポリプロピレンからなる混合物、又はその他の任意の望ましい組成物が挙げられる。バックシート６２として使用される代表的なフィルムは、インディアナ州テレホート（Terre Haute）のトレデガー・インダストリーズ社（Tredegar Industries, Inc.）によって、ある種のブローンフィルム用に商品名Ｘ−８３２３、ＲＲ８２２０ブレンド、及びある種のキャストフィルム用にＲＲ５４７５ブレンドが製造されている。
【００９９】
上述したように、吸収性物品の層は、着用者に面する部分２と衣類に面する部分３との間に分配されてもよい。これらの層は、第１の吸収性コア構成要素５２、第２の吸収性コア構成要素５１を含むことができる。一般に、開閉式シャーシポケット５は、交換式吸収性コア構成要素２０又は３０を受容するために、着用者に面する部分２と衣類に面する部分３との間に形成される。
【０１００】
一実施形態では、吸収性コア構成要素５０は、衣類に面する部分３に提供される。したがって、着用者に面する部分２は、トップシート６１及び／又はトップキャリアウェブ１２６を含む。より具体的には、トップキャリアウェブ１２６は、トップシート６１として機能してもよい。衣類に面する部分３は、バックシート６２を形成するプロセスキャリアウェブ１０６及び一般に不透過性の層、並びに吸収性コア構成要素５０を含み、液体透過性層、即ちカバー層２０５が、第１の吸収性コア構成要素上に提供されてよい。カバー層は、流体を吸収性コア構成要素へ流すことができる不織布材料又は組織などの液体透過性層でよい。その結果、開閉式シャーシポケット５は、衣類に面する部分３の第１の吸収性コア構成要素５２と着用者に面する部分２との間に提供される。
【０１０１】
別の実施形態では、第１の吸収性コア構成要素５２は、着用者に面する部分２に提供され、第２の吸収性コア構成要素５１は、衣類に面する部分３に提供される。したがって、着用者に面する部分２は、トップキャリアウェブ１２６、第１の吸収性コア構成要素５２、及び第２の液体透過性層を含む。衣類に面する部分３は、プロセスキャリアウェブ１０６及びポリ不透過性層を含むバックシート６２、並びに第２の吸収性コア構成要素５１を含む。液体透過性層、即ちカバー層２０５を、第２の吸収性コア構成要素５１上に提供してもよい。カバー層は、流体を第２の吸収性コア構成要素５１へ流すことができる不織布材料又は組織などの液体透過性層であってもよい。その結果、開閉式シャーシポケット５は、衣類に面する部分３の第２の吸収性コア構成要素５１と着用者に面する部分２の第１の吸収性コア構成要素５２との間に提供される。
【０１０２】
更に別の実施形態では、吸収性コア構成要素５０は、着用者に面する部分２に提供される。したがって、着用者に面する部分２は、トップシート、吸収性コア構成要素５０、及び液体透過性層２０５を含む。衣類に面する部分３は、一般に液体不透過性層１０７から形成されるバックシート６２、及びプロセスキャリアウェブ１０６を含む。その結果、開閉式シャーシポケット５は、衣類に面する部分３のバックシート６２の不透過性層と着用者に面する部分２の第２の吸収性コア構成要素５１との間に提供される。
【０１０３】
一般に、開閉式シャーシポケット５は、交換式吸収性コア構成要素３０を受容するために適用され、例えば、トップシート６１とバックシート６２との間、トップシート６１と吸収性コア構成要素５０との間、吸収性コア構成要素５０の層間、又は吸収性コア構成要素５０とバックシート６２との間など、吸収性物品のいずれかの層間に提供され得る。
【０１０４】
一般に、吸収性物品の層は、どの模様で組み合わされてもよく、また、開閉式シャーシポケット５が形成されるように、どの順序で組み合わされてもよい。１つの開閉式シャーシポケット５を形成してもよく、あるいは別の実施形態では、２つ以上の開閉式シャーシポケット５を形成してもよい。開閉式シャーシポケットは、予め組み立てた構成要素群（例えば、着用者に面する部分２、衣類に面する部分３など）に層を組み合わせることによって形成されてもよく、あるいは別の方法としては、開閉式シャーシポケット５は、第１の構成要素群（例えば、着用者に面する部分２）と第２の構成要素群（例えば、衣類に面する部分３）との間に開閉式シャーシポケット５が形成されるように、第１の構成要素群を第２の構成要素群に取り付けることによって形成されてもよい。一実施形態では、各構成要素群の各層は共に封止される。別の実施形態では、特定の構成要素群の１つ以上の層の１つ以上の縁部は共に封止されない。したがって、様々な層の群を組み合わせ、幾つかの層を共に部分的に封止するか、あるいは１つ以上の縁部を除くすべての層を共に部分的に封止することによって、吸収性物品の製造時に１つ以上のポケットが形成され得ることは理解されるであろう。また、様々な層を構成要素群に共に組み合わせ、構成要素群の各層を共に封止した後、その構成要素群を同様の構成要素群と周辺部付近で封止せずに組み合わせることによって、ポケットが形成され得ることも理解されるであろう。更に、任意の数の構成要素群を、任意の望ましい数の開閉式シャーシポケットが形成されるように組み合わせてもよい。ポケットは、固着する縁部を選択することによって、任意の望ましい方向に向けられることも理解されるであろう。このように形成された各ポケットに、１つ以上の取り外し可能なコア構成要素２０及び／又は３０を提供することができる。
【０１０５】
上述したように、その他の構成要素をおむつに提供してもよい。図１７を参照すると、ウエストバンド６７を、吸収性物品の一般にプロセスキャリアウェブ１０６上に適用してもよい。ウエストバンドは、伸縮性ストランド６７ａ〜ｄを含むことができる。図１７に示すように、フィルムを、伸縮性臀部部分又はサイドパネル２１０を形成するように提供してもよい。フィルムは、不織布プロセスキャリアウェブ１０６に接着又は積層されてよい。サイドパネル２１０のフィルム及びウエストバンド６７の伸縮性ストランドは、どの順序で提供されてもよい。図に示すように、ウエストバンド６７の伸縮性ストランドは、プロセスキャリアウェブ１０６上に実質的に連続して提供されてもよく、一方のサイドパネル２１０のフィルムは、物品の腰部区域に提供される。一実施形態では、フィルム及び伸縮性ストランドは、おむつの衣類に面する部分３に適用される。図１９に示すように、伸縮部材を着用者に面する部分２に提供してもよい。
【０１０６】
通常の非拘束構成において、伸縮部材がおむつの部分を効果的に収縮又はしわ寄せするように、伸縮部材、フィルム、及び／又は伸縮性ストランドは、弾性収縮可能な状態で物品に固定されてよい。伸縮部材、フィルム、及び／又は伸縮性ストランドは、任意の好適な方法で、弾性収縮可能な状態で固定され得る。例えば、物品を延ばした状態にして、伸縮部材を引っ張って固定してもよい。その他任意の好適な方法も使用可能である。
【０１０７】
トップシート６１及びバックシート６２は、両者の周辺部の少なくとも一部で共に接合されるように、同じ寸法形状を有していてもよい（即ち、同一の広がりを持つ）。バックシート６２の寸法は、吸収性コアの寸法及び選択される設計によってある程度規定される。
【０１０８】
図１５〜２０は、着用者に面する部分２及び衣類に面する部分３を含む吸収性物品の製造方法を示す。この場合、着用者に面する部分２はトップキャリアウェブ１２６上に積み重ねられ、衣類に面する部分３はプロセスキャリアウェブ１０６上に積み重ねられ、着用者に面する部分２がプロセスキャリアウェブ１０６上の衣類に面する部分３に組み合わされる。吸収性物品は、サイドパネル２１０を備えてもよい。サイドパネル２１０は、上述したように、サイドパネル２１０が弾性的延伸性になるように機械的に活性化されてもよい。物品を切断した後、物品をサイドパネル２１０の外縁部に沿って折り畳み、継ぎ合わせて、閉じたシャーシの物品を形成してもよい。したがって、各サイドパネル２１０は、対向する腰部区域の対応するサイドパネル２１０と重なり合い、接合され得る。その結果、トレーニングパンツなどの吸収性物品が形成される。あるいは、サイドパネル２１０は、サイドパネル２１０が互いに再固着可能に接合するように使用可能な固着部材を備えてもよい。固着部材を備えた実施形態では、サイドパネル２１０を予め固着（包装前に固着）してもよく、あるいはサイドパネルを固着しないで物品を包装してもよい。
【０１０９】
本明細書で開示した寸法及び値は、列挙した厳密な数値に狭義に限定されるものとして解釈されるべきではない。それよりむしろ、特に指定されない限り、こうした寸法はそれぞれ、列挙された値とその値周辺の機能的に同等の範囲との両方を意味するものとする。例えば、「４０ｍｍ」として開示された寸法は、「約４０ｍｍ」を意味することを意図する。
【０１１０】
本発明の「発明を実施するための形態」で引用したすべての文献は、関連部分において、本明細書に参考として組み込まれるが、いずれの文献の引用も、それが本発明に対する先行技術であることを容認するものとして解釈されるべきではない。本書における用語のいずれかの意味又は定義が、参照により組み込まれた文献における用語のいずれかの意味又は定義と相反する範囲では、本書においてその用語に与えられた意味又は定義が適用されるものとする。
【０１１１】
本発明の特定の諸実施形態を図示し、記載したが、本発明の趣旨及び範囲から逸脱することなく他の様々な変更及び修正を実施できることは当業者には自明であろう。したがって、本発明の範囲内にあるこのようなすべての変更及び修正を、添付の特許請求の範囲で扱うものとする。
【図１Ａ】
2010508944.tif 000003
【図１Ｂ】
2010508944.tif 000004
【図２】
2010508944.tif 000005
【図３】
2010508944.tif 000006
【図４】
2010508944.tif 000007
【図５】
2010508944.tif 000008
【図６】
2010508944.tif 000009
【図７】
2010508944.tif 000010
【図８】
2010508944.tif 000011
【図９】
2010508944.tif 000012
【図１０】
2010508944.tif 000013
【図１１】
2010508944.tif 000014
【図１２】
2010508944.tif 000015
【図１３】
2010508944.tif 000016
【図１４Ａ】
2010508944.tif 000017
【図１４Ｂ】
2010508944.tif 000018
【図１５】
2010508944.tif 000019
【図１６】
2010508944.tif 000020
【図１７】
2010508944.tif 000021
【図１８】
2010508944.tif 000022
【図１９】
2010508944.tif 000023
【図２０】
2010508944.tif 000024
【国際調査報告】
2010508944.tif 000025
2010508944.tif 000026